(57)【特許請求の範囲】
【請求項１】
複数のＬＥＤが搭載された弾性変形可能な長尺形状をなすＬＥＤ搭載基板と、前記ＬＥＤ搭載基板が取り付けられるベース部材とを備え、
前記ベース部材が、前記ＬＥＤ搭載基板の長手方向に垂直な幅方向両側の各側辺部に係止する互いに対向して設けられた第１の係止部及び第２の係止部を有しており、前記第１の係止部及び第２の係止部間の離間寸法を前記ＬＥＤ搭載基板の側辺部間寸法よりも小さく設定して、前記ＬＥＤ搭載基板が弾性変形して幅方向に湾曲した湾曲状態で前記第１の係止部及び第２の係止部に係止されるように構成されており、
前記ＬＥＤ搭載基板が、前記各側辺部に幅方向内側に向かって形成された切り込み又は凹部を有することを特徴とする光照射装置。
【請求項２】
前記切り込み又は凹部が、前記各側辺部において、前記ＬＥＤ搭載基板の長手方向に沿って互いに隣接するＬＥＤの間それぞれに形成されている請求項１記載の光照射装置。
【請求項３】
前記ベース部材における係止部間の部位と、前記ＬＥＤ搭載基板におけるＬＥＤ搭載領域の裏面又はその近傍との間に配設された熱伝導性を有する介在体を備え、
前記ＬＥＤ搭載基板が前記湾曲状態において、当該ＬＥＤ搭載基板の弾性変形によって当該ＬＥＤ搭載基板が前記介在体を介して前記ベース部材を押圧するように構成している請求項１又は２記載の光照射装置。
【請求項４】
前記第１の係止部及び前記第２の係止部が、前記ベース部材の長手方向に沿って形成された開口の内縁部に設けられており、
前記内縁部における前記第１の係止部及び前記第２の係止部よりも開口側に、前記ＬＥＤ搭載基板を前記第１の係止部及び前記第２の係止部に対して位置決めするガイド面が形成されている請求項１、２又は３記載の光照射装置。
【請求項５】
複数のＬＥＤが搭載された弾性変形可能な部分円環形状又は円環形状をなすＬＥＤ搭載基板と、前記ＬＥＤ搭載基板が取り付けられるベース部材とを備え、
前記ベース部材が、前記ＬＥＤ搭載基板の円周方向に垂直な幅方向両側の各側辺部に係止する互いに対向して設けられた第１の係止部及び第２の係止部を有しており、前記第１の係止部及び第２の係止部間の離間寸法を前記ＬＥＤ搭載基板の側辺部間寸法よりも小さく設定して、前記ＬＥＤ搭載基板が弾性変形して幅方向に湾曲した湾曲状態で前記第１の係止部及び第２の係止部に係止されるように構成されており、
前記ＬＥＤ搭載基板が、前記各側辺部に幅方向内側に向かって形成された切り込み又は凹部を有することを特徴とする光照射装置。
【発明の詳細な説明】
【技術分野】
【０００１】
本発明は、弾性変形可能な基板にＬＥＤを搭載したＬＥＤ搭載基板を有する光照射装置に関するものである。
【背景技術】
【０００２】
この種の光照射装置には、特許文献１に示すように、ＬＥＤが搭載された弾性変形可能な長尺形状をなすＬＥＤ搭載基板と、このＬＥＤ搭載基板を収容するケーシングとを備えたものがある。具体的にこの光照射装置は、ＬＥＤ搭載基板が係止される２つの係止部がケーシングに設けられており、この２つの係止部間の離間寸法がＬＥＤ搭載基板の側辺部間寸法よりも小さく設定され、ＬＥＤ搭載基板が弾性変形した湾曲状態で前記係止部に係止されるように構成されている。そして、この光照射装置では、弾性変形により湾曲状態とされたＬＥＤ搭載基板の側辺部を係止部に軸方向にスライドさせて係止することにより、ＬＥＤ搭載基板がケーシング内に収容される。
【０００３】
ところが、ＬＥＤ搭載基板の側辺部を係止部に軸方向にスライドさせて係止するものでは、ＬＥＤ搭載基板の側辺部を係止部にスライドさせるに連れてそれらの摩擦による抵抗が大きくなり、組み立て作業が極めて困難になるという問題がある。特に、ＬＥＤ搭載基板が弾性変形可能な薄い基板からなる場合には、スライド挿入する際に前記摩擦抵抗によりＬＥＤ搭載基板がケーシング外部で屈曲して挿入しにくくなり、上記の問題が一層顕著となる。
【先行技術文献】
【特許文献】
【０００４】
【特許文献１】特開２０１１−１００７０７号公報
【発明の概要】
【発明が解決しようとする課題】
【０００５】
このようなことから本願発明者は、ＬＥＤ搭載基板の側辺部を係止部に対して軸方向にスライドさせることなく、ＬＥＤ搭載基板を係止部上に配置して、当該ＬＥＤ搭載基板をその厚み方向に係止部に向かって押し込むことにより、ＬＥＤ搭載基板を係止部に係止させることを考えている。
【０００６】
しかしながら、前記ＬＥＤ搭載基板が長尺矩形状をなすことから、ＬＥＤ搭載基板をその厚み方向に係止部に向かって押し込む際に、係止部に対してＬＥＤ搭載基板の側辺部がずれやすく、このずれによってＬＥＤ搭載基板の側辺部が歪んで皺が発生してしまうという問題がある。そして、ＬＥＤ搭載基板の側辺部の歪み又は皺により、ＬＥＤ搭載基板の側辺部が係止部に確実に係止されず、ＬＥＤ搭載基板の固定が不十分になり、ケーシングに対してＬＥＤ搭載基板がずれてしまうという問題が生じる。また、このＬＥＤ搭載基板の歪み又は皺により、ケーシングに対してＬＥＤの光軸がずれてしまうという問題も生じる。
【０００７】
そこで本発明は、上記問題点を一挙に解決するためになされたものであり、ＬＥＤ搭載基板をベース部材に取り付ける際に生じるＬＥＤ搭載基板の歪み又は皺を低減することをその主たる所期課題とするものである。
【課題を解決するための手段】
【０００８】
すなわち本発明に係る光照射装置は、複数のＬＥＤが搭載された弾性変形可能な長尺形状をなすＬＥＤ搭載基板と、前記ＬＥＤ搭載基板が取り付けられるベース部材とを備え、前記ベース部材が、前記ＬＥＤ搭載基板の長手方向に垂直な幅方向両側の各側辺部に係止する互いに対向して設けられた第１の係止部及び第２の係止部を有しており、前記第１の係止部及び第２の係止部間の離間寸法を前記ＬＥＤ搭載基板の側辺部間寸法よりも小さく設定して、前記ＬＥＤ搭載基板が弾性変形して幅方向に湾曲した湾曲状態で前記第１の係止部及び第２の係止部に係止されるように構成されており、前記ＬＥＤ搭載基板が、前記各側辺部に幅方向内側に向かって形成された切り込み又は凹部を有することを特徴とする。
【０００９】
このようなものであれば、ＬＥＤ搭載基板の各側辺部に幅方向内側に向かって形成された切り込み又は凹部が形成されているので、ＬＥＤ搭載基板の各側辺部を各係止部に係止させる際に歪みが生じたとしても、当該歪みによりその他の側辺部に与える歪み影響は、当該歪み発生部分に隣接する切り込み又は凹部により吸収される。これにより、切り込み又は凹部を挟んで歪み発生部分に隣接するその他の側辺部に与える影響を低減することができる。その結果、歪み発生部分から歪み影響を受ける部分を低減することができ、ＬＥＤ搭載基板を確実に固定することができる。また、歪み発生部分から歪み影響を受ける部分を低減することができるため、当該歪みにより光軸ずれを生じるＬＥＤの数を低減することができる。さらに、歪み発生部分から歪み影響を受ける部分を低減することができるため、ＬＥＤ搭載基板を係止部に係止した状態の見た目を良くすることができる。
【００１０】
また本発明によれば、ＬＥＤ搭載基板の各側辺部において各係止部に係止される部分が切り込み又は凹部により区画される構成となるため、歪み発生部分を含む歪み発生区画のみを各係止部から取り外すことができ、既に係止部に係止された当該歪み発生区画に隣接する側辺部を係止部から取り外す必要が無く、ＬＥＤ搭載基板の取り付け作業の二度手間を防止し、取り付けの作業性を向上させることができる。なお、ＬＥＤ搭載基板がＬＥＤから射出された光を反射する機能を有する場合には、当該ＬＥＤ搭載基板における歪み発生部分から歪み影響を受ける部分を低減することができるので、ＬＥＤからの光の反射光量を多くするだけでなく、反射ムラを低減することができる。
【００１１】
ＬＥＤ搭載基板のＬＥＤをベース部材に対して確実に固定しつつ位置決めするためには、ＬＥＤ搭載基板の各側辺部においてＬＥＤを挟む位置にある各側辺部が各係止部に係止することが望ましい。このため、前記切り込み又は凹部が、前記各側辺部において、前記ＬＥＤ搭載基板の長手方向に沿って互いに隣接するＬＥＤの間に形成されていることが望ましい。特に、ＬＥＤ搭載基板の歪みにより影響を受けるＬＥＤ数を少なくするためには、前記切り込み又は凹部が、前記各側辺部において、前記ＬＥＤ搭載基板の長手方向に沿って互いに隣接するＬＥＤの間それぞれに形成されていることが望ましい。これならば、ＬＥＤ搭載基板の各側辺部において係止部に係止する被係止部分が各ＬＥＤを挟むように形成されることから、ベース部材に対してＬＥＤを確実に位置決めして固定することができる。
【００１２】
前記切り込み又は凹部が、前記ＬＥＤ搭載基板の長手方向に沿って互いに隣接するＬＥＤの中間位置に形成されていることが望ましい。これにより、長手方向に隣り合う２つの切り込み又は凹部の中間位置にＬＥＤが配置される構成となる。したがって、切り込み又は凹部により区画された領域内に含まれるＬＥＤが、当該領域の両側にある領域で歪みが発生した場合でも、その影響を受けにくくすることができる。具体的に前記ＬＥＤ搭載基板上に搭載されるＬＥＤが長手方向に等間隔に配置されるものの場合には、前記ＬＥＤ搭載基板の長手方向に沿って互いに隣接するＬＥＤの間隔と、前記ＬＥＤ搭載基板の長手方向に沿って互いに隣接する切り込み又は凹部の間隔とが略同一であることが望ましい。
【００１３】
ＬＥＤ搭載基板における歪み発生部分のみを簡単に取り外すことができる構成とするためには、一方の側辺部に形成された切り込み又は凹部と他方の側辺部に形成された切り込み又は凹部とが、前記ＬＥＤ搭載基板の長手方向において略同一位置に形成されていることが望ましい。これならば、ＬＥＤ搭載基板の各側辺部に形成された切り込み又は凹部が対称となるため、ＬＥＤ搭載基板を単に厚み方向に引っ張るだけで歪み発生部分のみを取り外すことができる。
【００１４】
前記光照射装置が、前記ベース部材における係止部間の部位と、前記ＬＥＤ搭載基板におけるＬＥＤ搭載領域の裏面又はその近傍との間に配設された熱伝導性を有する介在体を備え、前記ＬＥＤ搭載基板が前記第１の係止部及び第２の係止部に係止した湾曲状態において、当該ＬＥＤ搭載基板の弾性変形によって当該ＬＥＤ搭載基板が前記介在体を介して前記ベース部材を押圧するように構成していることが望ましい。これならば、ＬＥＤ搭載基板の歪みを低減しつつも、その歪みが低減されたＬＥＤ搭載基板を介在体に密着させることができるので、ＬＥＤを効率的に放熱することができる。
【００１５】
前記光照射装置が、前記ＬＥＤ搭載基板が前記第１の係止部及び第２の係止部に係止していない非係止状態から前記ＬＥＤ搭載基板をその厚み方向に前記第１の係止部及び第２の係止部に対して押し込むことによって、前記ＬＥＤ搭載基板が前記第１の係止部及び第２の係止部に係止されるように構成されており、前記非係止状態のＬＥＤ搭載基板を前記第１の係止部及び第２の係止部に対して位置決めするガイド面を備えることが望ましい。このガイド面は、前記第１の係止部及び第２の係止部に対して押し込み方向とは反対側に設けられている。これならば、ＬＥＤ搭載基板を係止部に係止させる際に、係止部に対してＬＥＤ搭載基板を位置決めすることができるとともに、ガイド面により位置決めされたＬＥＤ搭載基板を厚み方向に押圧するだけで、ＬＥＤ搭載基板を係止部に固定することができ、ＬＥＤ搭載基板の取り付け作業をより一層簡単にすることができる。
【００１６】
上述した光照射装置は、長尺形状をなすＬＥＤ搭載基板を有するものであったが、部分円環形状又は円環形状をなすＬＥＤ搭載基板を有するものであっても同様の効果を奏する。つまり、本発明に係る光照射装置は、複数のＬＥＤが搭載された弾性変形可能な部分円環形状又は円環形状をなすＬＥＤ搭載基板と、前記ＬＥＤ搭載基板が取り付けられるベース部材とを備え、前記ベース部材が、前記ＬＥＤ搭載基板の円周方向に垂直な幅方向両側の各側辺部に係止する互いに対向して設けられた第１の係止部及び第２の係止部を有しており、前記第１の係止部及び第２の係止部間の離間寸法を前記ＬＥＤ搭載基板の側辺部間寸法よりも小さく設定して、前記ＬＥＤ搭載基板が弾性変形して幅方向に湾曲した湾曲状態で前記第１の係止部及び第２の係止部に係止されるように構成されており、前記ＬＥＤ搭載基板が、前記各側辺部に幅方向内側に向かって形成された切り込み又は凹部を有することを特徴とする。
【発明の効果】
【００１７】
このように構成した本発明によれば、ＬＥＤ搭載基板をベース部材に取り付ける際に生じるＬＥＤ搭載基板の歪みを低減するだけでなく、歪みが生じた場合にその歪み部分のみを簡単に取り外すことができる。
【図面の簡単な説明】
【００１８】
【図１】本発明の一実施形態における光照射装置の一端側の構成を示す斜視図。
【図２】同実施形態における光照射装置の軸方向に垂直な断面図。
【図３】同実施形態におけるＬＥＤ搭載基板の構成を示す平面図。
【図４】同実施形態における基板の係止状態を示すベース部材の断面図。
【図５】同実施形態における基板の非係止状態を示すベース部材の断面図。
【図６】ＬＥＤ搭載基板の変形例を示す平面図。
【図７】凹部の機能を模式的に示す図。
【図８】ＬＥＤ搭載基板の変形例を示す平面図。
【図９】ＬＥＤ搭載基板の変形例を示す平面図。
【図１０】ＬＥＤ搭載基板の変形例を示す平面図。
【発明を実施するための形態】
【００１９】
以下に本発明に係る光照射装置の一実施形態について図面を参照して説明する。
【００２０】
本実施形態に係る光照射装置１００は、室内外の一般照明、検査用照明又は植物育成用照明等に用いることができるライン型のものであって、図１及び図２に示すように、概略直円筒状をなす円筒体１と、この円筒体１の内部に収容されるＬＥＤ搭載基板２と、前記ＬＥＤ搭載基板２を前記円筒体１内で保持するベース部材３と、前記円筒体１の軸方向両端部に取り付けられてＬＥＤ搭載基板２に給電する口金部材４とを備えている。
【００２１】
円筒体１は、例えばガラス製の透光性を有するものであり、軸方向両端部に開口を有する概略直円筒状をなすものである。その両端開口には、前記ＬＥＤ搭載基板２及びベース部材３が収容された後に、それぞれ口金部材４が装着される。
【００２２】
ＬＥＤ搭載基板２は、配線が予めプリントされたいわゆるプリント基板と称されるもので、図３に示すように、その表面に複数のＬＥＤ５が搭載されている。ここでは、厚みが例えば０．５ｍｍ以下で非常に薄く、弾性変形して湾曲するタイプのものを用いている。また、このＬＥＤ搭載基板２は、外力を与えない自然状態では、概略長尺矩形平板状をなすものであり、その長手方向（長尺方向）の寸法は、前記円筒体１の収容空間の長手方向の寸法よりも若干小さい。さらに、このＬＥＤ搭載基板２における少なくともＬＥＤ搭載側の面のほぼ全面に、反射コーティングを施すなどして鏡面化し、光反射率を向上させてある。鏡面の他に白色塗料を塗布するなどして白色面にしてもよい。
【００２３】
ＬＥＤ５は、例えば白色光を発する表面実装型高輝度タイプのチップ型ＬＥＤであり、ここでは、近紫外光を発するＬＥＤ素子（図示しない）と、そのＬＥＤ素子から出る光を波長変換して白色光に変える蛍光部材とを利用して構成してある。そして、図３に示すように、このＬＥＤ５を、ＬＥＤ搭載基板２の表面における幅方向中央に、長手方向に沿って一列に端から端まで等間隔で搭載している。
【００２４】
ベース部材３は、前記ＬＥＤ搭載基板２を保持した状態で、前記円筒体１内に収容配置されるものである。具体的にベース部材３は、図４及び図５に示すように、概略部分円筒状をなし、直線有底溝状の収容空間３ａが内部に形成された例えばアルミニウムなどの金属製のものである。なお、部分筒状とは、筒を端面から視たときに一部が欠けた環状となる形状のことである。そして本実施形態では、その外周面は前記円筒体１の内周面に沿った概略部分円弧形状をなしている。また、ベース部材３の長手方向の寸法は、前記円筒体１の収容空間の長手方向の寸法よりも若干小さく、前記ＬＥＤ搭載基板２の長手方向の寸法と略同じである。
【００２５】
そして、そのベース部材３の長手方向に平行な縁部内面、すなわちベース部材３の開口３ｂの内縁部にそれぞれ第１の係止部６及び第２の係止部７を設け、これら係止部６、７にＬＥＤ搭載基板２の前記長手方向と平行な各側縁部２ａ、２ｂを係止させるようにしている。この係止部６、７は、ベース部材３の前記各内縁部から対向する方向に延出する突条状をなすものであり、この係止部６、７に、又はこの係止部６、７及びベース部材３の内周面３ｃの間に前記ＬＥＤ搭載基板２の側辺部２ａ、２ｂが係止される。
【００２６】
また、ベース部材３の内周面３ｃにおける幅方向中央から、長手方向に沿って端から端まで延びる突条状の熱伝導性を有する介在体８が一体に突出させてある。この介在体８の突出端面８ａ（以下、先端面８ａとも言う。）は、ベース部材３の開口面と平行な平面で、かつ、その幅は、ＬＥＤ５の幅と同じ又はそれよりも大きくなるように設定してある。
【００２７】
ところで、ベース部材３の開口３ｂの幅寸法、すなわち係止部６、７間の寸法をＬＥＤ搭載基板２の幅方向寸法よりも小さく設定してある。したがって、ＬＥＤ搭載基板２を係止部６、７に係止した状態では、ＬＥＤ搭載基板２は収容空間３ａ側（介在体８側）に向かって幅方向に湾曲することになるが、そのとき、ＬＥＤ搭載基板２におけるＬＥＤ搭載領域Ｄ１の裏面２ｃと、前記介在体８の先端面８ａとが押圧接触するように構成してある。このようにして、ＬＥＤ搭載基板２は、横断面視、その両側辺部２ａ、２ｂ及び中央部（ＬＥＤ搭載領域Ｄ１の裏面２ｃ）の３箇所のみで支えられて固定される。
【００２８】
また、ベース部材３の開口３ｂの内縁部には、第１の係止部６及び第２の係止部７よりも開口側（押し込み方向とは反対側）である上部に、ＬＥＤ搭載基板２をそれら係止部６、７に対して位置決めするガイド面９ａ、９ｂが形成してある。このガイド面９ａ、９ｂは、前記第１の係止部６及び第２の係止部７と同様に、ベース部材３の長手方向に平行な縁部内面に互いに対向して形成してある。そして、このガイド面９ａ、９ｂ間の寸法は、前記ＬＥＤ搭載基板２が若干のがたつきを持って嵌る程度に設定してあり、このガイド面９ａ、９ｂ間にＬＥＤ搭載基板２が配置されることで、ＬＥＤ搭載基板２の長手方向に沿った中心軸が第１の係止部６及び第２の係止部７の中心位置に位置決めされる。
【００２９】
ＬＥＤ搭載基板２の係止方法の一例としては、図５に示すように、ＬＥＤ搭載基板２をベース部材３の係止部６、７上に載置する。このとき、ＬＥＤ搭載基板２はガイド面９ａ、９ｂにより位置決めされる。そして、ＬＥＤ搭載基板２が第１の係止部６及び第２の係止部７に係止していない非係止状態で、ＬＥＤ搭載基板２をその厚み方向に第１の係止部６及び第２の係止部７に向かって収容空間３ａ側に押し込む。これにより、ＬＥＤ搭載基板２が湾曲するとともに、ＬＥＤ搭載基板２の各側辺部２ａ、２ｂが係止部６、７を乗り越えて収容空間３ａ側に移動することで、ＬＥＤ搭載基板２の各側辺部２ａ、２ｂが第１の係止部６及び第２の係止部７に係止する（図４参照）。その後、ベース部材３を円筒体１内に軸方向に挿入して収容配置した後に、円筒体１の軸方向両端部の開口を口金部材４で閉塞する。この口金部材４は、ＬＥＤ搭載基板２の端部に設けられた接続端子と電気的に接続するコネクタを有し、円筒体１の開口を閉塞すると同時に、円筒体１に対してベース部材３を位置決めし、ＬＥＤ搭載基板２の端部に設けられた接続端子に接続されるように構成されている。
【００３０】
したがって、本実施形態の構成によれば、ＬＥＤ搭載基板２の弾性力によってＬＥＤ搭載領域Ｄ１の裏面２ｃが介在体８に確実に押圧されて面接触するので、チップ型ＬＥＤ５で発生した熱を、効率的に、この介在体８を通じてベース部材３に逃がすことができる。また湾曲可能な基板２は一般的に薄い部材で形成してあることから、その厚みによる熱伝達の阻害影響を小さくでき、その点でも介在体８への熱伝達が効率的に営まれることとなる。しかも、介在体８へＬＥＤ搭載基板２を接触させるにあたって、ネジ締めや特別な治具等を必要とせず、単にＬＥＤ搭載基板２を第１の係止部６及び第２の係止部７に係止させるだけなので、組み立てが飛躍的に簡単になる。また、ＬＥＤ搭載基板２が湾曲してその表面が凹反射面の役割を果たすので、特に専用の反射部材を設けずとも、チップ型ＬＥＤ５からの光の指向性を良好にできるとともにロス光を低減させ得るといった効果も得られる。
【００３１】
しかして、本実施形態のＬＥＤ搭載基板２は、図３に示すように、各側辺部２ａ、２ｂに幅方向内側に向かって形成された複数の部分円弧状の凹部２１を有し、各側辺部２ａ、２ｂが凹凸構造を有する。
【００３２】
具体的にこのＬＥＤ搭載基板２においては、複数の凹部２１は同一形状をなし、各凹部２１が各側辺部２ａ、２ｂにおいてＬＥＤ搭載基板２の長手方向に沿って互いに隣接するＬＥＤ５の間それぞれに形成してある。具体的には、一方の側辺部２ａに形成された凹部２１と、他方の側辺部２ｂに形成された凹部２１とは、ＬＥＤ搭載基板２の長手方向において略同一位置に形成してあり、ＬＥＤ搭載基板２は平面視において中心軸に対して対称形状をなす。また、ＬＥＤ搭載基板２の長手方向に沿って互いに隣接するＬＥＤ５の間隔（ピッチ）Ｌ１とＬＥＤ搭載基板２の長手方向に沿って互いに隣接する凹部２１の間隔（ピッチ）Ｌ２とが略同一となるように形成してある。また、凹部２１は、ＬＥＤ搭載基板２の長手方向に沿って互いに隣接するＬＥＤ５の中間位置に形成してある。
【００３３】
このように凹部２１が形成されたＬＥＤ搭載基板２において、ＬＥＤ５は、各側辺部２ａ、２ｂに形成された凹部２１によって区画されるように配置されており、この凹部２１によって区画された領域（以下、区画領域という。）にはそれぞれ１つのＬＥＤ５が含まれることになる。なお、図３において各区画領域の境界を点線で示している。この構成により、ＬＥＤ搭載基板２の各側辺部２ａ、２ｂにおいて係止部６、７に係止する被係止部分が各ＬＥＤ５を挟むように形成されることから、ベース部材３に対してＬＥＤ５を確実に位置決めできるとともに、介在体８の先端面８ａにＬＥＤ搭載基板２の裏面２ｃを確実に密着させることができる。また、区画領域に１つずつＬＥＤ５が配置される構成であるため、ある区画領域で歪みが生じてもその歪み影響は、当該区画領域に隣接する区画領域には及ばないようになり、その隣接する区画領域を係止部６、７に確実に係止させることができる。また、歪み影響を受けるＬＥＤ５の数を少なくすることができる。
【００３４】
また、凹部２１は、ＬＥＤ搭載基板２の歪みが生じ易い部分、つまり、ＬＥＤ搭載基板２の幅方向において湾曲する部分（ＬＥＤ搭載領域Ｄ１を挟んだ両側の部分Ｄ２）の範囲内に形成されている（図３参照）。すなわち、凹部２１の幅方向の深さ寸法は、ＬＥＤ搭載領域Ｄ１に到達しない程度であり、幅方向において湾曲する部分Ｄ２の幅寸法以下に設定してある。
【００３５】
なお、凹部２１の平面視形状としては、部分円弧状や部分楕円弧状の他、コの字状（矩形状）であっても良いし（図６（Ａ）参照）、Ｖ字形状（図６（Ｂ）参照）やＵ字形状（図６（Ｃ）参照）であっても良い。
【００３６】
次にこのように構成した凹部２１の機能とともにＬＥＤ搭載基板２の取り付け及び取り外しについて図７を参照して説明する。
【００３７】
ＬＥＤ搭載基板２の凹部２１により区画された各区画領域（図７において２Ａ〜２Ｄ）を、ＬＥＤ搭載基板２の長手方向の一方（例えば区画領域２Ａ）から１つ１つ係止部６、７に押し込んでいき、ＬＥＤ搭載基板２を係止部６、７に係止させてベース部材３に取り付ける。
【００３８】
ここで、仮に１つの区画領域２Ｂに歪みが生じた場合に、その歪み影響は、当該区画領域２Ｂに隣接する凹部２１により吸収されて、隣の区画領域２Ａ、２Ｃまで到達しにくい。そして、そのまま隣の区画領域２Ｃを係止部６、７に押し込んで係止させたとしても、通常通り、区画領域２Ｃは係止部６、７に係止し、その後の区画領域２Ｄも通常通り係止部６、７に係止させることができる。
【００３９】
また、上記の区画領域２Ｂに歪みが生じた場合に、その歪みを修正する場合には、当該区画領域２Ｂと既に係止している区画領域２Ａの間の凹部２１の存在により、区画領域２Ｂのみを係止部から取り外すことができる。取り外した区画領域２Ｂの歪みを直した後に再度区画領域２Ｂを係止部６、７に係止させる。これにより、必要最低限の区画領域２Ｂのみを取り外す作業のみで、歪みを修正することができる。この作業を繰り返すことによって、ＬＥＤ搭載基板２をベース部材３に取り付けていく。
【００４０】
このように構成した本実施形態に係る光照射装置１００によれば、ＬＥＤ搭載基板２の各側辺部２ａ、２ｂに幅方向内側に向かって形成された凹部２１が形成されているので、ＬＥＤ搭載基板２の各側辺部２ａ、２ｂを係止部６、７に係止させる際に歪みが生じたとしても、当該歪み発生部分（図７において区画領域２Ｂ）に隣接する凹部２１により吸収される。これにより、歪み発生部分（区画領域２Ｂ）に凹部２１を挟んで隣接するその他（区画領域２Ａ、２Ｃ）の側辺部２ａ、２ｂに与える影響を低減することができる。その結果、歪み発生部分から歪み影響を受ける部分を低減することができ、ＬＥＤ搭載基板２の固定が確実にすることができる。また、歪み発生部分を低減することができるため、当該歪みにより生じるＬＥＤ５の光軸ずれを低減することができ、さらに、ＬＥＤ搭載基板２を係止部６、７に係止した状態の見た目を良くすることができる。
【００４１】
また、ＬＥＤ搭載基板２の各側辺部２ａ、２ｂにおいて各係止部６、７に係止される部分が凹部２１により区画される構成となるため、歪み発生部分を含む区画領域（図７において２Ｂ）のみを係止部６、７から取り外すことができ、既に係止部６、７に係止された区画領域（図７において２Ａ）を係止部６、７から取り外す必要が無く、ＬＥＤ搭載基板２の取り付け作業の二度手間を防止し、取り付けの作業性を向上させることができる。
【００４２】
さらに、ＬＥＤ搭載基板２における歪み発生部分から歪み影響を受ける部分を低減することができるので、ＬＥＤ５からの光の反射光量を多くするだけでなく、反射ムラを低減することができる。
【００４３】
なお、本発明は前記実施形態に限られるものではない。
例えば、前記実施形態では、ＬＥＤ搭載基板２の各側辺部２ａ、２ｂに凹部２１を形成したものであったが、図８に示すように、単に切り込み２２を形成したものであっても良い。これならば、ＬＥＤ搭載基板２に切り込み２２を入れるだけで、前記実施形態と同様の効果を得ることができ、光照射装置１００の製造を簡単にすることができる。なお、切り込み２２を挟んで隣接する区画領域同士の対向辺が実質的に接触又は近接した構成であるため、一方の区画領域が歪んだ場合にその一方の区画領域の対向辺が他方の区画領域の対向辺に接触しまう恐れがある。一方、前記実施形態では、区画領域の対向辺が離間しているため、この心配が無い。
【００４４】
また、図９（Ａ）に示すように、凹部２１又は切り込み２２を長手方向に沿って複数のＬＥＤ５毎に形成しても良い。なお、図９（Ａ）では、ＬＥＤ２つ置きに形成した場合を示している。さらに図９（Ｂ）に示すように、各側辺部２ａ、２ｂに形成する凹部２１が対向しないように互い違いとなるように形成しても良い。
【００４５】
また、前記実施形態では、光照射装置は、ベース部材を円筒体内に収容配置したものであったが、ベース部材の開口に透明又は光拡散性を有するカバーを取り付けることにより、光照射装置を構成しても良い。
【００４６】
さらに、前記実施形態ではベース部材に熱伝導性を有する介在体を一体形成したものであったが、別部材の熱伝導部材を介在体としてＬＥＤ搭載基板の裏面及びベース部材の内周面との間に配置したものであっても良い。また、介在体を有さず、ベース部材３の内周面３ｃにＬＥＤ搭載基板２の裏面２ｃが接触するように構成しても良い。
【００４７】
その上、ＬＥＤ搭載基板におけるＬＥＤの配置態様としては、前記実施形態のように長尺方向に沿って１列配置の他、複数列配置としても良い。
【００４８】
加えて、前記実施形態の光照射装置は、ライン型のものであったが、リング型のものであっても良い。このとき、ＬＥＤ搭載基板２は部分円環状又は円環状をなすものである。そして、このＬＥＤ搭載基板２には、図１０に示すように、ＬＥＤ搭載基板２の円周方向に垂直な幅方向両側の内側辺部及び外側辺部に凹部２１又は切り込みが形成してある。そして、中心に貫通孔を有したリング状ボディの環状溝にＬＥＤ搭載基板２を押し込むことより取り付けられる。
【００４９】
また、前記実施形態では、１つのベース部材に１つのＬＥＤ搭載基板が取り付けられる態様について説明したが、１つのベース部材に対して複数のＬＥＤ搭載基板を長手方向に連続するように取り付けるように構成しても良い。さらに、１つの円筒体内に複数のベース部材を長手方向に連続するように収容配置しても良い。
【００５０】
その他、本発明は前記実施形態に限られず、その趣旨を逸脱しない範囲で種々の変形が可能であるのは言うまでもない。
【符号の説明】
【００５１】
１００・・・光照射装置
１    ・・・円筒体
２    ・・・ＬＥＤ搭載基板
２ａ  ・・・一方の側辺部
２ｂ  ・・・他方の側辺部
３    ・・・ベース部材
５    ・・・ＬＥＤ
６    ・・・第１の係止部
７    ・・・第２の係止部
【図１】
0005846365.tif 000002
【図２】
0005846365.tif 000003
【図３】
0005846365.tif 000004
【図４】
0005846365.tif 000005
【図５】
0005846365.tif 000006
【図６】
0005846365.tif 000007
【図７】
0005846365.tif 000008
【図８】
0005846365.tif 000009
【図９】
0005846365.tif 000010
【図１０】
0005846365.tif 000011